(57)【要約】【課題】ベルトの転写時に転写不良を引き起こす恐れのある駆動ローラの汚れを防止できる画像形成装置を提供する。【解決手段】複数のローラにより巻回され、回動可能に支持されたベルトを有する画像形成装置において、複数のローラの内、前記ベルトを駆動する駆動ローラに接触して該駆動ローラ上に付着した付着物を除去する清掃部材を有する駆動ローラ清掃手段を備えたことを特徴とする画像形成装置。【選択図】        図２
2005037521.tif 000002
【特許請求の範囲】
【請求項１】
複数のローラにより巻回され、回動可能に支持されたベルトを有する画像形成装置において、
複数のローラの内、前記ベルトを駆動する駆動ローラに接触して該駆動ローラ上に付着した付着物を除去する清掃部材を有する駆動ローラ清掃手段を備えたことを特徴とする画像形成装置。
【請求項２】
前記駆動ローラは、外周にウレタンコートが施されていることを特徴とする請求項１に記載の画像形成装置。
【請求項３】
複数のローラにより巻回され、回動可能に支持されたベルトを有し、前記ベルトを介してクリーニングブレードと対向する位置にバックアップローラを有し、前記ベルトの前記ローラに接触しない面をクリーニングするクリーニング手段を備えた画像形成装置において、
前記バックアップローラに接触して外周に付着した付着物を除去する清掃部材を有するバックアップローラ清掃手段を備えたことを特徴とする画像形成装置。
【請求項４】
複数のローラにより巻回され、回動可能に支持されたベルトを有し、前記ベルトを介してクリーニングブレードと対向する位置にバックアップする部材を有し、前記ベルトの前記ローラに接触しない面をクリーニングするクリーニング手段を備えた画像形成装置において、
前記ベルトを駆動すると共に前記クリーニングブレードをバックアップするバックアップ駆動ローラを有し、
前記バックアップ駆動ローラに接触して外周に付着した付着物を除去する清掃部材を有するバックアップ駆動ローラ清掃手段を備えたことを特徴とする画像形成装置。
【請求項５】
前記バックアップ駆動ローラは、外周にウレタンコートが施されていることを特徴とする請求項４に記載の画像形成装置。
【請求項６】
前記清掃部材は、シート状部材であり、一端が保持部材に支持されていることを特徴とする請求項１、３、または４に記載の画像形成装置。
【請求項７】
前記シート状部材は、材質がポリエチレンテレフタレートであることを特徴とする請求項６に記載の画像形成装置。
【請求項８】
前記ベルトは、感光体上に形成されたトナー像が転写される中間転写体ベルト、感光体を有する感光体ベルト、または用紙を搬送する用紙搬送ベルトであることを特徴とする請求項１から７のいずれか１項に記載の画像形成装置。
【発明の詳細な説明】
【０００１】
【発明の属する技術分野】
本発明は、複写機、ファクシミリ、プリンタ等の画像形成装置に係わり、複数のローラにより巻回され、回動可能に支持されたベルトを有する画像形成装置に関する。
【０００２】
【従来の技術】
（従来の技術１）従来より、複数のローラにより巻回され、回動可能に支持されたベルトとして中間転写体ベルトを有して、複数のローラの内、駆動ローラにより中間転写体ベルトを駆動し、このて中間転写体ベルト上の画像を用紙に転写する画像形成装置が知られている。また、従来より、複数のローラにより巻回され、回動可能に支持された用紙を搬送するベルトを有し、複数のローラの内、駆動ローラにより前記ベルトを駆動し、このベルトで用紙を搬送し、用紙にトナー像を転写する画像形成装置において、この駆動ローラに湿ったクリーニング部材が接触し、駆動ローラの付着物を除去して、付着物に起因する転写時の画像抜け、画像異常を防止している技術が開示されている（特許文献１参照）。
【０００３】
しかしながら、前者の画像形成装置にあっては、駆動ローラに付着物がつくと、付着物に起因する転写時の画像抜け、画像異常が生じる恐れがあり、また、後者の画像形成装置にあっては、湿ったクリーニング部材を用いているので構造が複雑なるといった問題がある。
【０００４】
（従来の技術２）従来の中間転写体ベルトのクリーニング手段について説明する。図５は従来の中間転写体ベルトの表面をクリーニングするクリーニング手段の問題点を説明する断面構成図であり、図５（ａ）はクリーニング手段の断面構成図、図５（ｂ）は図５（ａ）における断面ＸＸにおける断面構成図である。図５に示すように、回動可能に支持された中間転写体ベルト１００を介してクリーニングブレード１０１と対向する位置にバックアップローラ１０２を設け、中間転写体ベルト１００の像担持体を有する面１００ａをクリーニングするクリーニング手段を備えた画像形成装置が知られている（特許文献２参照）。
【０００５】
しかしながら、このバックアップローラ１０２に付着物Ｄがつくと、中間転写体ベルト１００が、図５（ａ）、（ｂ）に示すように、中間転写体ベルト１００の付着物のある部分が盛り上がり、クリーニングブレード１０１による中間転写体ベルト１００の清掃で、中間転写体ベルト１００の一部が盛り上がり、部分的にクリーニングでき難いという問題がある。
【０００６】
（従来の技術３）従来より、複数のローラにより巻回され、回動可能に支持された中間転写体ベルトを有し、中間転写体ベルトを介してクリーニングブレードと対向する位置にバックアップする部材を有して中間転写体ベルトの像担持体を有する面をクリーニングするクリーニング手段を有し、さらに中間転写体ベルトを駆動ローラで駆動する画像形成装置が知られている。
【０００７】
しかしながら、前記従来の技術１および前記従来の技術２で述べたような問題があり、また、バックアップローラと駆動ローラとをそれぞれに別々に清掃部材を設け清掃すると構造が複雑になるという問題がある。
【０００８】
【特許文献１】
特開平８−１６０７７０号公報
【０００９】
【特許文献２】
特開２００１−２９６７５５号公報
【００１０】
【発明が解決しようとする課題】
本発明は上記の課題に鑑みなされたものである。第１発明の目的は、ベルトの転写時に転写不良を引き起こす恐れのある駆動ローラの汚れを防止できる画像形成装置を提供することにある。
【００１１】
第２発明の目的は、ベルトのクリーニング時にクリーニング不良を起こす恐れのあるクリーニングブレードと対向する位置にあるバックアップローラの汚れを防止できる画像形成装置を提供することにある。
【００１２】
第３発明の目的は、ベルトのクリーニング時にクリーニング不良を起こす恐れがあり、且つ、ベルトの転写時に転写不良を引き起こす恐れのあるベルトを駆動すると共にクリーニングブレードをバックアップするバックアップ駆動ローラの汚れを防止できる画像形成装置を提供することにある。
【００１３】
【課題を解決するための手段】
第１発明の目的は下記の手段により達成される。
【００１４】
（１）複数のローラにより巻回され、回動可能に支持されたベルトを有する画像形成装置において、複数のローラの内、前記ベルトを駆動する駆動ローラに接触して該駆動ローラ上に付着した付着物を除去する清掃部材を有する駆動ローラ清掃手段を備えたことを特徴とする画像形成装置。
【００１５】
第２発明の目的は下記の手段により達成される。
（２）複数のローラにより巻回され、回動可能に支持されたベルトを有し、前記ベルトを介してクリーニングブレードと対向する位置にバックアップローラを有し、前記ベルトの前記ローラに接触しない面をクリーニングするクリーニング手段を備えた画像形成装置において、前記バックアップローラに接触して外周に付着した付着物を除去する清掃部材を有するバックアップローラ清掃手段を備えたことを特徴とする画像形成装置。
【００１６】
第３発明の目的は下記の手段により達成される。
（３）複数のローラにより巻回され、回動可能に支持されたベルトを有し、前記ベルトを介してクリーニングブレードと対向する位置にバックアップする部材を有し、前記ベルトの前記ローラに接触しない面をクリーニングするクリーニング手段を備えた画像形成装置において、前記ベルトを駆動すると共に前記クリーニングブレードをバックアップするバックアップ駆動ローラを有し、前記バックアップ駆動ローラに接触して外周に付着した付着物を除去する清掃部材を有するバックアップ駆動ローラ清掃手段を備えたことを特徴とする画像形成装置。
【００１７】
【発明の実施の形態】
最初に、本発明を適用するに適した画像形成装置について説明する。図１は、本発明を適用するに適した画像形成装置の構成を示す断面図である。
【００１８】
このカラー画像形成装置は、タンデム型フルカラー複写機と称せられるもので、複数組の画像形成部１０Ｙ、１０Ｍ、１０Ｃ、１０Ｋと、中間転写体ベルトユニット７と、給紙搬送手段２１及び定着手段２４とから成る。画像形成装置の本体Ａの上部には、原稿画像読み取り装置ＳＣが配置されている。
【００１９】
イエロー色の画像を形成する画像形成部１０Ｙは、第１の像担持体としてのドラム状の感光体１Ｙ、該感光体１Ｙの周囲に配置された帯電手段２Ｙ、露光手段３Ｙ、現像手段４Ｙ、一次転写手段としての一次転写ローラ５Ｙ、クリーニング手段６Ｙを有する。マゼンタ色の画像を形成する画像形成部１０Ｍは、第１の像担持体としてのドラム状の感光体１Ｍ、該感光体１Ｍの周囲に配置された帯電手段２Ｍ、露光手段３Ｍ、現像手段４Ｍ、一次転写手段としての一次転写ローラ５Ｍ、クリーニング手段６Ｍを有する。シアン色の画像を形成する画像形成部１０Ｃは、第１の像担持体としてのドラム状の感光体１Ｃ、該感光体１Ｃの周囲に配置された帯電手段２Ｃ、露光手段３Ｃ、現像手段４Ｃ、一次転写手段としての一次転写ローラ５Ｃ、クリーニング手段６Ｃを有する。黒色画像を形成する画像形成部１０Ｋは、第１の像担持体としてのドラム状の感光体１Ｋ、該感光体１Ｋの周囲に配置された帯電手段２Ｋ、露光手段３Ｋ、現像手段４Ｋ、一次転写手段としての一次転写ローラ５Ｋ、クリーニング手段６Ｋを有する。
【００２０】
中間転写体ベルトユニット７は、複数のローラにより巻回され、回動可能に支持された半導電性エンドレスベルト状の第２の像担持体である中間転写体としての中間転写体ベルト７０を有する。
【００２１】
画像形成部１０Ｙ、１０Ｍ、１０Ｃ、１０Ｋより形成された各色の画像は、一次転写手段としての一次転写ローラ５Ｙ、５Ｍ、５Ｃ、５Ｋにより、回動する中間転写体ベルト７０上に逐次転写されて、合成されたカラー画像が形成される。給紙カセット２０内に収容された記録媒体としての用紙等の転写材Ｐは、給紙手段２１により給紙され、複数の中間ローラ２２Ａ、２２Ｂ、２２Ｃ、２２Ｄ、レジストローラ２３を経て、二次転写手段としての二次転写ローラ５Ａに搬送され、用紙等の転写材Ｐ上に二次転写してカラー画像が一括転写される。カラー画像が転写された用紙等の転写材Ｐは、定着手段２４により定着処理され、排紙ローラ２５に挟持されて機外の排紙トレイ２６上に載置される。
【００２２】
尚、転写材の片面だけでなく両面に転写させたい場合は片面が定着された後に、排紙切換部材１７０を切り換えて、用紙案内部１７７が開放され、用紙としての転写材Ｐは破線矢印の方向に搬送される。
【００２３】
更に、搬送機構１７８により用紙としての転写材Ｐは下方に搬送され、用紙反転部１７９によりスイッチバックさせられ、用紙としての転写材Ｐの後端部は先端部となって両面複写用給紙ユニット１３０内に搬送される。
【００２４】
転写材Ｐは両面複写用給紙ユニット１３０に設けられた搬送ガイド１３１を給紙方向に移動し、給紙ローラ１３２で転写材Ｐを再給紙し、転写材Ｐを二次転写ローラ５Ａの位置に搬送し、転写材Ｐの裏面にトナー画像を転写し、定着装置２４で定着した後、排紙トレイ２６上に排紙する。
【００２５】
一方、二次転写手段としての二次転写ローラ５Ａにより用紙等の転写材Ｐにカラー画像を転写した後、用紙等の転写材Ｐを曲率分離した中間転写体としての中間転写体ベルト７０は、クリーニング手段６Ａにより残留トナーが除去される。
【００２６】
画像形成処理中、一次転写ローラ５Ｋは常時、感光体１Ｋに圧接している。他の一次転写ローラ５Ｙ、５Ｍ、５Ｃはカラー画像形成時にのみ、それぞれ対応する感光体１Ｙ、１Ｍ、１Ｃに圧接する。二次転写手段５Ａは、ここを転写材Ｐが通過して二次転写が行われる時にのみ、中間転写体ベルト７０に圧接する。また、装置本体Ａから筐体８を支持レール９２Ｌ、９２Ｒを介して引き出し可能にしてある。筐体８は、画像形成部１０Ｙ、１０Ｍ、１０Ｃ、１０Ｋと、中間転写体ベルトユニット７とから成る。
【００２７】
画像形成部１０Ｙ、１０Ｍ、１０Ｃ、１０Ｋは、垂直方向に縦列配置されている。感光体１Ｙ、１Ｍ、１Ｃ、１Ｋの図示左側方には中間転写体ベルトユニット７が配置されている。中間転写体ベルトユニット７は、ローラ７１、７２、７３、７４、７６を巻回して回動可能な中間転写体ベルト７０、一次転写ローラ５Ｙ、５Ｍ、５Ｃ、５Ｋ、及びクリーニング手段６Ａとから成る。尚、ローラ７４は二次転写手段のバックアップローラ７４を兼ねている。
【００２８】
筐体８の引き出し操作により、画像形成部１０Ｙ、１０Ｍ、１０Ｃ、１０Ｋと、中間転写体ベルトユニット７とは、一体となって、本体Ａから引き出される。
【００２９】
筐体８の図示左側の支持レール９２Ｌは、中間転写体ベルト７０の左方で、定着手段２４の上方空間部に配置されている。筐体８の図示右側の支持レール９２Ｒは、最下部の現像手段４Ｋの下方付近に配置されている。支持レール９２Ｒは、現像手段４Ｙ、４Ｍ、４Ｃ、４Ｋを筐体８に着脱する動作に支障を来さない位置に配置されている。
【００３０】
筐体８の感光体１Ｙ、１Ｍ、１Ｃ、１Ｋの図示右方は、現像手段４Ｙ、４Ｍ、４Ｃ、４Ｋにより囲まれ、図示下方は、帯電手段２Ｙ、２Ｍ、２Ｃ、２Ｋ、及びクリーニング手段６Ｙ、６Ｍ、６Ｃ、６Ｋ等により囲まれ、図示左方は、中間転写体ベルト７０により囲まれている。
【００３１】
その中で感光体、クリーニング手段及び帯電手段等は一つの感光体ユニットを形成し、現像手段及びトナー補給装置等は一つの現像ユニットを形成している。
【００３２】
さて、一次転写ローラ５Ｙ、５Ｍ、５Ｃ、５Ｋを中間転写体としての中間転写体ベルト７０の背面から各感光体１Ｙ、１Ｍ、１Ｃ、１Ｋへ押圧するが、押圧しない時の中間転写体としての中間転写体ベルト７０と各感光体１Ｙ、１Ｍ、１Ｃ、１Ｋとの接触点よりも感光体回転方向下流側に一次転写ローラ５Ｙ、５Ｍ、５Ｃ、５Ｋを配置し各感光体１Ｙ、１Ｍ、１Ｃ、１Ｋへ押圧する。このとき中間転写体としての中間転写体ベルト７０は各感光体１Ｙ、１Ｍ、１Ｃ、１Ｋの外周に沿うように曲げられ、感光体と中間転写体ベルト７０の接触領域の最も下流側に一次転写ローラ５Ｙ、５Ｍ、５Ｃ、５Ｋが配置される構成となる。また、二次転写ローラ５Ａは、該二次転写ローラ５Ａで押圧しない時の中間転写体としての中間転写体ベルト７０とバックアップローラ７４との接触中央部よりもバックアップローラ７４の回転方向上流側に配置されていることが望ましい。また、濃度検出装置８０Ａは、コピー前又はコピー間に例えば一定輝度のレーザビームで像担持体上にテストパッチの潜像を形成し、これを現像してテストパッチ像とし、この像の濃度を光学的に検出する。
【００３３】
（実施の形態１）
第１発明に係わる実施の形態の画像形成装置について説明する。図２は第１発明の実施の形態に係わる画像形成装置の要部構成を示す断面図である。実施の形態１の画像形成装置は、下記に示す構成以外は図１に示す画像形成装置と機構的に同じでありので、異なる部分を中心に説明する。
【００３４】
図２に示すように、画像形成装置における中間転写体ベルトユニット７（図１）は、複数のローラにより巻回され、回動可能に支持された半導電性エンドレスベルト状の第２の像担持体である中間転写体としての中間転写体ベルト７０を有する。中間転写体ベルト７０上の画像を図１で説明したように用紙に転写する。中間転写体ベルト７０は、感光体上に形成されたトナー像が転写される中間転写体である。また、駆動ローラ７１Ａは、外周にウレタンコートが施され、図示しないモータにより矢印方向に駆動されて中間転写体ベルト７０を駆動する。
【００３５】
駆動ローラ清掃手段７５Ａは、保持部材７５１、清掃部材７５２、付着物収集部７５３等より構成されている。清掃部材７５２はシート状部材であり先端が駆動ローラ７１Ａに当接し、他端が保持部材７５１に支持され、駆動ローラ７１Ａ上に付着した付着物Ｄを除去する。なお、清掃部材７５２の材質は、ポリエチレンテレフタレートで、例えばマイラー（Ｒ）フィルムである。付着物収集部７５３は除去した付着物Ｄを収集するボックスである。
【００３６】
ここで作用を説明する。駆動ローラ７１Ａが矢印の方向に駆動すると、清掃部材７５２の先端が駆動ローラ７１Ａに付着した付着物Ｄを剥ぎ取り清掃を行う。剥離した付着物Ｄは付着物収集部７５３に収集される。
【００３７】
以上のように、中間転写体ベルト７０の転写時に転写不良を引き起こす恐れのある駆動ローラ７１Ａの汚れを防止できる。
【００３８】
（実施の形態２）
次に、第２発明に係わる実施の形態の画像形成装置について説明する。図３は第２発明の実施の形態に係わる画像形成装置の要部構成を示す断面図である。前述の図１に示す画像形成装置と機構的に異なる部分を中心に説明する。
【００３９】
図３に示すように、画像形成装置における中間転写体ベルトユニット７（図１）は、複数のローラにより巻回され、回動可能に支持された半導電性エンドレスベルト状の第２の像担持体である中間転写体としての中間転写体ベルト７０を有し、さらにクリーニング手段６Ａ、バックアップローラ清掃手段７５Ｂを有する。
【００４０】
クリーニング手段６Ａはクリーニングブレード６１Ａ、バックアップローラ６２Ａ等で構成されている。クリーニング手段６Ａは中間転写体ベルト７０を介してクリーニングブレード６１Ａと対向する位置にバックアップローラ６２Ａを有し、中間転写体ベルト７０の像担持体を有する面をクリーニングする。
【００４１】
バックアップローラ清掃手段７５Ｂは、保持部材７５１、清掃部材７５２、付着物収集部７５３等により構成されている。清掃部材７５２はシート状部材であり、先端がバックアップローラ６２Ａに当接し、他端が保持部材７５１に支持されている。なお、清掃部材７５２の材質はポリエチレンテレフタレートで、例えばマイラー（Ｒ）フィルムがある。付着物収集部７５３は除去した付着物Ｄを収集するボックスである。
【００４２】
ここで作用を説明する。駆動ローラ７１Ｂが矢印の方向に駆動すると、中間転写体ベルト７０が矢印方向に移動する。クリーニングブレード６１Ａが中間転写体ベルト７０を介してバックアップローラ６２Ａを押圧し、バックアップローラ６２Ａが回転し、清掃部材７５２が表面に付着した付着物Ｄを清掃する。前述の図５に示したように、バックアップローラ６２Ａに付着物がつかないのでクリーニング不良が防止でき、剥がされた付着物Ｄは付着物収集部７５３に収集される。
【００４３】
以上のように、中間転写体ベルト７０のクリーニング時にクリーニング不良を起こす恐れのあるクリーニングブレードのバックアップローラ６２Ａの汚れを防止できる。
【００４４】
（実施の形態３）
次に、第３発明に係わる実施の形態の画像形成装置について説明する。図４は第３発明の実施の形態に係わる画像形成装置の要部構成を示す断面図である。前述の図１に示す画像形成装置と機構的に異なる部分を中心に説明する。
【００４５】
図４に示すように、画像形成装置における中間転写体ベルトユニット７（図１）は、複数のローラにより巻回され、回動可能に支持された半導電性エンドレスベルト状の第２の像担持体である中間転写体としての中間転写体ベルト７０を有し、さらにクリーニング手段６Ａ、バックアップローラ清掃手段７５Ｂを有する。中間転写体ベルト７０は、バックアップ駆動ローラ７１Ｃは、外周にウレタンコートが施されている。クリーニング手段６Ａは、クリーニングブレード６１Ａ、バックアップ駆動ローラ７１Ｃ等で構成され、さらに、バックアップ駆動ローラ清掃手段７５Ｃは、保持部材７５１、清掃部材７５２、付着物収集部７５３等により構成されている。バックアップ駆動ローラ７１Ｃは中間転写体ベルト７０を駆動すると共に、クリーニングブレードのバックアップを兼ねている。清掃部材７５２はシート状部材であり、先端がバックアップ駆動ローラ７１Ｃに当接し、後端が保持部材７５１に支持されている。なお、清掃部材７５２の材質は、ポリエチレンテレフタレートで、例えば、マイラー（Ｒ）フィルムがある。付着物収集部７５３は除去した付着物Ｄを収集するボックスである。
【００４６】
ここで作用を説明する。バックアップ駆動ローラ７１Ｃが矢印方向に駆動すると、清掃部材７５２がバックアップ駆動ローラ７１Ｃの表面の付着物Ｄの清掃を行い、剥がされた付着物Ｄは付着物収集部７５３に収集される。一方、清掃されたバックアップ駆動ローラ７１Ｃは矢印方向に回転し、クリーニングブレード６１Ａで中間転写体ベルト７０の像担持体がある面の残トナー等をはぎ取るようになっている。
【００４７】
以上のように、一箇所の清掃手段により、中間転写体ベルトのクリーニング時にクリーニング不良を起こす恐れ、且つ、中間転写体ベルトの転写時に転写不良を引き起こす恐れのあるバックアップ駆動ローラの汚れも防止できる。
【００４８】
なお、上記実施の形態では、ベルトとして、感光体上に形成されたトナー像が転写される中間転写体ベルトについて説明したが、同様にして感光体を有する感光体ベルト、用紙を搬送する用紙搬送ベルトにつても同様である。
【００４９】
【発明の効果】
上記の構成により下記のような効果を奏する。
【００５０】
請求項１に記載の発明によれば、複数のローラにより巻回され、回動可能に支持されたベルトを有する画像形成装置において、複数のローラの内、前記ベルトを駆動する駆動ローラに接触して該駆動ローラ上に付着した付着物を除去する清掃部材を有する駆動ローラ清掃手段を備えたので、ベルトの転写時に転写不良を引き起こす恐れのある駆動ローラの汚れを防止できるようになった。
【００５１】
請求項２に記載の発明によれば、駆動ローラは、外周にウレタンコートが施されているので、確実にベルトを駆動できるようになった。
【００５２】
請求項３に記載の発明によれば、複数のローラにより巻回され、回動可能に支持されたベルトを有し、前記ベルトを介してクリーニングブレードと対向する位置にバックアップローラを有し、前記ベルトの前記ローラに接触しない面をクリーニングするクリーニング手段を備えた画像形成装置において、バックアップローラに接触して外周に付着した付着物を除去する清掃部材を有するバックアップローラ清掃手段を備えたので、ベルトのクリーニング時にクリーニング不良を起こす恐れのあるクリーニングブレードのバックアップローラの汚れを防止できるようになった。
【００５３】
請求項４に記載の発明によれば、複数のローラにより巻回され、回動可能に支持されたベルトを有し、前記ベルトを介してクリーニングブレードと対向する位置にバックアップする部材を有し、前記ベルトの前記ローラに接触しない面をクリーニングするクリーニング手段を備えた画像形成装置において、ベルトを駆動すると共に前記クリーニングブレードをバックアップするバックアップ駆動ローラを有し、前記バックアップ駆動ローラに接触して外周に付着した付着物を除去する清掃部材を有するバックアップ駆動ローラ清掃手段を備えたので、１箇所の清掃手段で、ベルトのクリーニング時にクリーニング不良を起こす恐れがあり、且つ、ベルトの転写時に転写不良を引き起こす恐れのあるバックアップ駆動ローラの汚れを防止できるようになった。
【００５４】
請求項５に記載の発明によれば、バックアップ駆動ローラは、外周にウレタンコートが施されているので、確実にベルトを駆動できるようになった。
【００５５】
請求項６に記載の発明によれば、清掃部材は、シート状部材であり、先端がローラに当接し他端が保持部材に支持されているので、取付けが確実で、確実に付着物を剥がすことができるようになった。
【００５６】
請求項７に記載の発明によれば、シート状部材は材質がポリエチレンテレフタレートであるので、剥がし力に優れ、耐久性が良好で安価となった。
【００５７】
請求項８に記載の発明によれば、ベルトは、感光体上に形成されたトナー像が転写される中間転写体ベルト、感光体を有する感光体ベルト、用紙を搬送する用紙搬送ベルトである、前記各ベルトを用いた画像形成装置において、上記記載の効果を奏するようになった。
【図面の簡単な説明】
【図１】本発明を適用するに適した画像形成装置の構成を示す断面図である。
【図２】第１発明に係わる画像形成装置の要部構成を示す断面図である。
【図３】第２発明に係わる画像形成装置の要部構成を示す断面図である。
【図４】第３発明に係わる画像形成装置の要部構成を示す断面図である。
【図５】従来のベルトの表面をクリーニングするクリーニング手段の問題点を説明する断面構成図である。
【符号の説明】
６Ａ  クリーニング手段
６１Ａ  クリーニングブレード
６２Ａ  バックアップローラ
７０  中間転写体ベルト（ベルト）
７１Ａ、７１Ｂ  駆動ローラ
７１Ｃ  バックアップ駆動ローラ
７５Ａ  駆動ローラ清掃手段
７５Ｂ  バックアップローラ清掃手段
７５Ｃ  バックアップ駆動ローラ清掃手段
７５２  清掃部材
【図１】
2005037521.tif 000003
【図２】
2005037521.tif 000004
【図３】
2005037521.tif 000005
【図４】
2005037521.tif 000006
【図５】
2005037521.tif 000007